(57)【要約】【課題】耳切れが発生する芯金の左右の端に対応して、ゴム弾性体の外周表面に突条部を形成し、芯金の左右端に生じる歪みを分散させるもので、更に、この突条部の左右端を傾斜面としたことにより、縁石等に乗り上げようとする動きを、滑り落ちやすくしたものであり、これによってゴムにクラックが入るのを阻止する機能を持たせたものである。【解決手段】無端状ゴム弾性体と、芯金と、メインコ−ドと、外周表面に形成されたラグと、からなるゴムクロ−ラにおいて、芯金の左右端部に対応するゴム弾性体の外周表面に前後のラグに跨がって突条部を形成したことを特徴とするゴムクロ−ラ。１‥ゴム弾性体、２‥芯金、２ａ‥芯金の翼部、３‥メインコ−ド、４‥ラグ、４ａ‥ラグの傾斜面、４ｂ‥ラグの高さ、１０‥突条部、１０ａ‥突条部の左右端の傾斜面、１０ｃ‥突条部の高さ、１０ｄ‥突条部の頂部。【選択図】図６
2005001432.tif 000002
【特許請求の範囲】
【請求項１】
無端状ゴム弾性体と、一定ピッチにて埋設された芯金と、この芯金を外囲いしたメインコ−ドと、外周表面に形成されたラグと、からなるゴムクロ−ラにおいて、芯金の左右端部に対応するゴム弾性体の外周表面に前後のラグに跨がって突条部を形成したことを特徴とするゴムクロ−ラ。
【請求項２】
突条部は、ゴムクロ−ラの幅方向断面が三角形状又は台形状である請求項１記載のゴムクロ−ラ。
【請求項３】
突条部の高さは、５ｍｍ以上であって、かつ、ラグの高さの０．７倍以下である請求項１又は２記載のゴムクロ−ラ。
【請求項４】
突条部の左右端の傾斜面が、ラグの傾斜面角度との差を０〜４５度とした請求項１乃至３記載のゴムクロ−ラ。
【請求項５】
突条部の頂部が、芯金左右端より０〜１５ｍｍ内にある請求項１乃至４記載のゴムクロ−ラ。
【発明の詳細な説明】
【０００１】
【発明の属する技術分野】
本発明はゴムクロ−ラの構造に関するものであり、更に言えば、ゴムクロ−ラの耐久性の向上を目的としたものである。
【０００２】
【従来の技術】
ゴムクロ−ラは建設機械や土木作業機械等の機体に備えられた駆動輪と遊動輪更には転輪に巻き掛けされて走行に供される。図１〜図２はその一例を示し、通常は無端状とされたゴム弾性体２１と、一定ピッチにて埋設された芯金２２と、この芯金２２を外囲いしたメインコ−ド２３と、外周表面に形成されたラグ２４とからなるものである。
【０００３】
しかるに、走行に供される際には、路面は平坦なものだけではなく、路面の突起物に乗り上げたり、縁石３０に擦られたりして、ゴムクロ−ラの外表面にクラックＣが入り、ゴム弾性体２１の長手方向の左右の端部にいわゆる耳切れ現象が発生してしまう。
【０００４】
耳切れ現象を精査するに、芯金２２の剛性とゴム弾性体２１の柔軟性の差の大きさからもたらされるものと推定され、例えば、ゴムクロ−ラが縁石３０に繰り返し擦られ、芯金２２の左右先端のゴム弾性体２１が極度に曲げられ、ここに剪断歪みが集中するもので、芯金２２の左右先端に沿ってゴム弾性体２１の外周表面にクラックＣが入ることが確認されている。
【０００５】
【発明が解決しようとする課題】
本発明はかかる耳切れの発生を低減させる構造を提供するものであり、ゴムクロ−ラの耐久性を向上させることを目的としたものである。
【０００６】
【課題を解決するための手段】
本発明の要旨は、無端状ゴム弾性体と、一定ピッチにて埋設された芯金と、この芯金を外囲いしたメインコ−ドと、外周表面に形成されたラグと、からなるゴムクロ−ラにおいて、芯金の左右端部に対応するゴム弾性体の外周表面に前後のラグに跨がって突条部を形成したことを特徴とするものである。
【０００７】
【発明の実施の形態】
本発明は、耳切れが最も発生しやすい芯金の左右の端に対応して、ゴム弾性体の外周表面に突条部を形成したものであり、このゴムの肉盛部にて芯金の左右端に生じる歪みを分散させることができたものであり、更に、この突条部の左右端を傾斜面となし、これを最適な角度とすることによって走行面に突出する突起部や縁石等に乗り上げようとする動きを、滑り落ちやすくしたものであり、これによってゴムにクラックが入るのを阻止する機能を持たせたものである。
【０００８】
この目的のため、突条部は、ゴムクロ−ラの幅方向断面が三角形状又は台形状となし、この突条部の高さは、５ｍｍ以上であって、かつ、ラグの高さの０．７倍以下、突条部の左右端の傾斜面が、ラグの傾斜面角度との差を０〜４５度、突条部の頂部が、芯金左右端より０〜１５ｍｍ内にあることを最適とするものである。尚、芯金の左右端がゴム弾性体の外周表面に形成されるラグと常に重なるのであれば、本発明の構成は採られないことは当然である。
【０００９】
ここで、突条部の高さを５ｍｍ以上とするのは、５ｍｍよりも低いとゴムのボリュ−ムが少なくなるので、耳切れ抑制効果が小さくなるからであり、ラグの高さの０．７倍以下とするのは、０．７倍よりも高いと屈曲疲労によって突条部に亀裂が生じることがあるからである。又、突条部の左右端の傾斜面において、ラグの傾斜面角度との差を０〜４５度とするのは、４５度以下にすることで、突条部が走行面に突出する突起部や縁石等から滑り落ちやすくなり、芯金の左右端に生じるゴム歪みの発生時間をより短くすることができるからである。更に、突条部の頂部が、芯金左右端より０〜１５ｍｍ内にあるようにするのは、突条部が縁石等に乗り上げると、ゴムの変形が生じて頂部の位置が芯金の端部側に向かって引っ張られるため、引っ張られた際に、ちょうど頂部が芯金端の位置にくるようになるからである。
【００１０】
【実施例】
以下、本発明を図面をもって更に詳細に説明する。図３は本発明のゴムクロ−ラの外周表面の平面図、図４は内周表面の平面図、図５はその側面図、図６はＡ−Ａ線断面図である。１はゴムクロ−ラを形成するゴム弾性体であり、図３の上下に無端状に連続してゴムクロ−ラをなしている。
【００１１】
２は芯金であり、ゴム弾性体１中に一定ピッチをもって埋設され、その翼部２ａが左右に伸びている。３はスチ−ルコ−ドよりなるメインコ−ドであり、ゴムクロ−ラにかかる引っ張り張力に抗する部材である。このメインコ−ド３は芯金２の翼部２ａを外囲いしてゴム弾性体１の長手方向に埋設されている。そして、４はゴム弾性体１の外周表面に形成されたラグであって、この例では隣り合う芯金２の翼部２ａを跨いで形成され、それが左右交互に千鳥状にずらされて形成されたものである。５は駆動輪の係合穴、６は芯金２よりゴムクロ−ラの内周面より突出した角部である。
【００１２】
芯金２の翼部２ａを覆ってラグ４、４に跨がって突条部１０を形成したものである。この突条部１０はゴムクロ−ラの幅方向断面が三角形状であり、左右端の傾斜面１０ａと内側の傾斜面１０ｂとからなる。左右端の傾斜面１０ａはゴムクロ−ラの左右端部より立ち上がり、ラグ４の傾斜面４ａの角度６０度に対して３０度とした。そして、突条部１０の高さ１０ｃは１２ｍｍで、ラグ４の高さ４ｂ（２５ｍｍ）の約０．５倍である。又、突条部１０の頂部１０ｄが、芯金２の翼部２ａの端より５ｍｍ内側に配置したものである。尚、内側の傾斜面１０ｂはゴムクロ−ラの外周表面より２０度の角度で立ち上がっている。
【００１３】
尚、ゴムクロ−ラにおけるゴム弾性体１の最大幅は３００ｍｍ、芯金２の翼部２ａの端から端までの長さは２６０ｍｍであり、ゴム弾性体１の左右端から突条部１０の頂部１０ｄまでの長さは２５ｍｍ、内側の傾斜面１０ｂの端までの長さは６０ｍｍである。
【００１４】
図７は本発明のゴムクロ−ラの別例を示す外周表面の平面図である。この例ではラグ４はハ字状に配置したものであり、芯金２の翼部２ａの先端を覆ってラグ４、４に跨がって突条部１０をゴムクロ−ラの長手方向に形成したものである。この例では、突条部１０はゴムクロ−ラの幅方向断面が略台形状であり、左右端の傾斜面１０ａはゴムクロ−ラの左右端部より立ち上がり、ラグ４の傾斜面４ａの角度６０度に対して２０度とした。そして、突条部１０の高さ（図５及び図６の１０ｃを参照）は、ラグ４の高さ（図５及び図６の４ｂを参照）の０．３倍である。又、突条部１０の頂部１０ｄ（略台形状の上面部分）は、芯金２の翼部２ａの端に配置してある。尚、内側の傾斜面１０ｂはゴムクロ−ラの外周表面より２０度の角度で立ち上がっている。
【００１５】
従来のゴムクロ−ラにあっては、左右の端部外側表面がほぼ平坦、或いは、逆にこの端部はやや薄く形成されているので、その屈曲性は高く、耳切れの発生がもたらされるのは当然であった。しかるに、本発明のゴムクロ−ラにあっては、芯金２の左右端部２ａを覆って突条部１０を形成したため、芯金２の左右端部２ａに集中していたゴムへの歪みをゴムの厚み（突条部）によってこれを分散・吸収してゴムクロ−ラの耳部の屈曲を少なくし、耳切れの発生は低減することとなった。
【００１６】
かつ、この突条部１０の外側を傾斜面１０ａとしたため、路面からの縁石に乗り上げようとする際に、滑り落ちるという機能をも併せ持ち、ゴムクロ−ラと転輪との間の脱輪の発生をも低減できることとなったものである。
【００１７】
【発明の効果】
本発明は、耳切れが最も発生しやすい芯金の左右の端に対応して、ゴム弾性体の外周表面に突条部を形成し、芯金の左右端に生じる歪みを分散させることができたものであり、更に、この突条部の左右端を傾斜面となし、これを最適な角度とすることによって走行面に突出する突起部や縁石等に乗り上げようとする動きを、滑り落ちやすくしたものであり、これによってゴムにクラックが入るのを阻止する機能を持たせたものである。
【図面の簡単な説明】
【図１】図１は従来のゴムクロ−ラの外周表面の平面図である。
【図２】図２は図１のａ−ａ線断面図である。
【図３】図３は本発明のゴムクロ−ラの外周表面の平面図である。
【図４】図４は図３の内周表面の平面図である。
【図５】図５は図３の側面図である。
【図６】図６は図３のＡ−Ａ線断面図である。
【図７】図７は本発明のゴムクロ−ラの別例の外周表面の平面図である。
【符号の説明】
１‥ゴム弾性体
２‥芯金
２ａ‥芯金の翼部
３‥メインコ−ド
４‥ラグ
４ａ‥ラグの傾斜面
４ｂ‥ラグの高さ
１０‥突条部
１０ａ‥突条部の左右端の傾斜面
１０ｂ‥突条部の内側の傾斜面
１０ｃ‥突条部の高さ
１０ｄ‥突条部の頂部
【図１】
2005001432.tif 000003
【図２】
2005001432.tif 000004
【図３】
2005001432.tif 000005
【図４】
2005001432.tif 000006
【図５】
2005001432.tif 000007
【図６】
2005001432.tif 000008
【図７】
2005001432.tif 000009